【事件の表示】
　平成　１年特許願第２０３７６８号「磁気記録再生装置」拒絶査定に対する審判事件［平成　３年　３月２５日出願公開、特開平　３−　６９０４４］について、次のとおり審決する。
【結　論】
　本件審判の請求は、成り立たない。
【理　由】
１.手続の経緯、本願発明
　本願は、平成１年８月８日の出願であって、その請求項１に係る発明は、原審及び当審において補正された明細書及び図面の記載からみて、その特許請求の範囲の請求項１に記載された次のとおりのものと認める。
　「タイマー予約データが記憶される予約データ記憶メモリと、複数のセグメントを有しこのセグメントを用いて前記予約データを表示する表示手段を備えた前記タイマー予約データに基づくタイマ一録画動作が可能な磁気記録再生装置において、
　録画動作中に録画を正常に実行し得ない要因となる装置の動作状態の有無を検出し、その種類を示す異常検出信号を出力する異常検出手段と、
　前記検出信号に基づくデータを記憶する異常データ記憶メモリと、
　このメモリに格納されたデータを、前記表示手段に、前記予約データを表示するセグメントの少なくとも一部を利用して、前記予約データとは異なる形態で表示させる制御手段と
　を具備したことを特徴とする磁気記録再生装置。」(以下、「本願発明」という。)
　
２.引用刊行物及びそれに記載された発明
　これに対して、原査定の拒絶の理由に引用された実願昭５８−５５６９３号(実開昭５９−１６１５９７号)のマイクロフィルム(以下、「引用刊行物１」という。)、及び特開平１−９６７３９号公報(以下、「引用刊行物２」という。)には、それぞれ次の事項が記載されている。
　(1)引用刊行物１
　引用刊行物１には、「ビデオテープレコーダ」に関する発明について次の事項が記載されている。
　 (a)「テープカセット装着センサーや誤消去防止爪センサー等のセンサー出力及び操作釦出力に基いてビデオテープレコーダーの動作・不動作を制御するシステムコントローラと、時間予約釦出力に基いて動作時間帯が予約されると共に上記システムコントローラに動作開始時点及び終了時点においてタイマー出力を与えるタイマー回路と、入力情報を音声に変換する音声合成回路と、上記システムコントローラが上記センサーから得た情報及び上記タイマー回路に設定された予約時間入力情報の一方若しくは双方の情報に基く状況判断または動作予測判断を行う判断手段とを具備し、上記判断手段による判断結果に基いて上記音声合成回路の出力によって状況の確認または動作予測の警告のアナウンスが行われるようにしたビデオテープレコーダ。」(実用新案登録請求の範囲の欄)
　 (b)「上述のようなＶＴＲ内の各種センサーによる録画禁止または中止の動作の原因や理由或いはタイマーの誤設定の理由や状況に遂一対応したモニターランプを設けて、これらの原因や状況が判読できるようにすることも考えられるが、表示が増えると装置が複雑となる上、かえつて分りにくくなる場合が多い。」(第3頁15行〜第4頁1行)
　 (c)「第１図は本考案によるＶＴＲの要部のブロック図であって、この実施例ではＶＴＲのシステムコントローラ(1)及びタイマー回路(2)は夫々マイクロコンピュータで構成され、これらは相互に結合されてＶＴＲの動作制御を行つている。」(第5頁6〜10行)
　 (d)「予約録画時には、タイマー回路(2)の出力がシステムコントローラ(1)に送られ、ＶＴＲアクチュエータ(5)及び選局ＩＣ(6)が制御されて、予約内容に基く録画が行われる。録画するＴＶ番組の時間予約及びチャンネル予約は、タイマー操作部(7)及びチャンネル釦(4)を用いて行われる。予約時間（開始及び終了時間、曜日）はタイマー表示部(8)において表示される（中略）ように構成されている。また予約されたチャンネルはシステムコントローラ(1)の出力に基いてチャンネル釦(4)に付属したチャンネル表示部(11)において表示される。
　　更に本実施例のＶＴＲには、カセット装着センサー、カセット爪折れセンサー、テープエンドセンサーなどの各種センサー(12)が設けられ、これらのセンサー(12)の出力に基いてシステムコントローラ(1)がＶＴＲアクチュエータ(5)を制御してＶＴＲを不動作にすると共に、不動作の理由または警告や指示が音声合成回路(9)によって音声情報としてスピーカ(10)からアナウンスされるようになっている。センサー(12)は、上述の他に露結センサー、カセットの種類センサー（テープ長）などを含む。」(第5頁末行〜第7頁2行)
　 (e)「第２図は第１図のタイマー操作部(7)の略平面図で、第３図はタイマー表示部(8)の略平面図である。タイマー録画するときにはタイマー録画釦(15)を操作してＶＴＲをタイマー録画モードにする。予約時間設定は、開始時刻キー(16)（または終了時刻キー(17)）を押しながら、タイマー表示部(8)の曜日表示(26)及び時間表示(27)が希望する日時になるように、曜日キー(18)、時キー(19)、１０分キー(20)及び分キー(21)を夫々操作することによって行われる。なおプログラムキー(22)を操作することにより、複数回（例えば４イベント）の予約を行うことができ、各イベントは第３図のＡ、Ｂ、Ｃ、Ｄのイベント表示(28)によって表示される。」(第8頁2〜14行)
　 (f)「(ハ)、ＶＴＲのヘッドドラムが露結した場合には、センサー（12)でこれが検知され、「ピツピツ、露結しています。」と言う警告アナウンスが行われる。
　　(ニ)、録画中にテープエンドがセンサー(12)によって検出された場合には、「ピツピツ、テープが終了しました。」と言う警告アナウンスが行われる。」（第10頁2〜7行）
　上記(a)〜(f)の記載及び第１〜３図によれば、上記引用刊行物１には以下の発明が記載されていることになる。
　「タイマー予約データが記憶されるタイマー回路(2)と、複数のセグメントを有しこのセグメントを用いて前記予約データを表示するタイマー表示部(8)を備えた前記タイマー予約データに基づくタイマ一録画動作が可能なビデオテープレコーダにおいて、
　録画動作中に録画を正常に実行し得ない要因となるビデオテープレコーダの動作状態の有無を検出し、その種類を示す異常検出信号を出力する各種センサー(12)と、
　前記検出信号に基づいてビデオテープレコーダの不動作の理由又は警告や指示を音声情報としてアナウンスさせるシステムコントローラ(1)と、
を具備したビデオテープレコーダ。」
　
　(2)引用刊行物２
　 引用刊行物２には、「異常処理方式」に関する発明について次の事項が記載されている。
　 (g)「第１図は、本実施例の構成を示したブロック図である。１は機器を制御するマイクロコンピュータ、２は１のマイクロコンピュータのプログラムが格納されているＲＯＭ（読出し専用メモリ）、３はワークエリア用のＲＡＭ（読み書き可能メモリ）、４は各種制御の為のＩ／Ｏポート、５は自己復帰したエラー記録用のメモリ、６は月日時を管理しているタイマである。（中略）４のＩ／Ｏポートの先には、エラー内容を表示する表示部７が設けられている。」（第2頁右上欄5〜16行）
　 (h)第２図は、本実施例のＣＰＵ１のエラー処理の制御動作を示したフローチャート図である。電源をＯＮすると、ステップＳ１の通常処理を実行する。（中略）
　　ステップＳ２において、エラーが発生していれば、ステップＳ３において、そのエラーが自己復帰可能なエラーか不可能なエラーかを判断し、自己復帰可能なエラーでなければステップＳ７のエラー表示に進み、４のＩ／Ｏポートを通じて、７の表示部にエラー表示して、ＣＰＵは一時停止する。又ステップＳ３において、自己復帰可能なエラーであれば、ステップＳ４において、その時の日時をタイマ６から読出し、エラー内容と共に、エラー記録メモリ５に書込む。」（第2頁右上欄17行〜同左下欄16行）
　 (i)第３図は、エラー記録メモリ５の内容を呼出す時のＣＰＵ１の処理動作を示したフローチャート図である。電源をＯＮするとステップＳ８においてサービスマンモードかどうか判断し、（中略）サービスマンモードであれば、ステップＳ１０に進み、エラー記録メモリ５にエラーが書込まれていれば、ステップＳ１１において、エラーと発生日時を表示し、ＣＰＵ１は一時停止（ホルト）する。エラーがなければ通常処理Ｓ９に戻る。」（第2頁右下欄8〜18行）
　上記(g)〜(i)の記載及び第１〜３図によれば、上記引用刊行物２には、マイクロピュータを利用した異常検出手段が組み込まれている機器において、エラー発生日時とエラー内容を記憶するエラー記録メモリ(5)を設け、このメモリ(5)に書込まれたエラーと発生日時を表示部に表示させることが記載されている。
　
３.対比
　 本願発明と引用刊行物１に記載された発明(以下、「引用発明」という。)とを比較すると、引用発明における「タイマー回路」、「タイマー表示部」、「ビデオテープレコーダ」、「各種センサー」及び「システムコントローラ」は、それぞれ本願発明における「予約データ記憶メモリ」、「表示手段」、「磁気記録再生装置」又は「装置」、「異常検出手段」及び「制御手段」に相当するものであるから、両者は、
　「タイマー予約データが記憶される予約データ記憶メモリと、複数のセグメントを有しこのセグメントを用いて前記予約データを表示する表示手段を備えた前記タイマー予約データに基づくタイマ一録画動作が可能な磁気記録再生装置において、
　録画動作中に録画を正常に実行し得ない要因となる装置の動作状態の有無を検出し、その種類を示す異常検出信号を出力する異常検出手段と、
　前記検出信号に基づいてビデオテープレコーダの異常を知らせる制御手段とを具備した磁気記録再生装置。」
である点において一致しており、次の点において相違する。
　[相違点]
　 (i)本願発明においては、検出信号に基づくデータを記憶する異常データ記憶メモリを備えているのに対して、引用発明ではこのような構成を備えていない点。
　 (ii)制御手段が、本願発明においては、異常データ記憶メモリに格納されたデータを、表示手段に、予約データを表示するセグメントの少なくとも一部を利用して、前記予約データとは異なる形態で表示させるのに対して、引用発明では、異常検出信号に基づいて磁気記録再生装置の不動作の理由又は警告や指示を音声情報としてアナウンスさせる点。
　
４.当審の判断
　以下、上記相違点(i)及び(ii)について検討する。
　マイクロコンピュータを利用した異常検出手段が組み込まれている機器において、エラーの発生日時やその内容を表す異常データを記憶するメモリを設けることは、上記引用刊行物２に記載されているとおり公知の事項であり、この公知の事項を上記引用発明に適用するに当たって格別の困難性は見当たらない。
　そして、磁気記録再生装置において、１つの表示手段に異なる複数のデータを表示すること、及びこのような表示を実行するときそれぞれ異なる形態にすることは、本願出願前に周知の技術事項（例えば、特開昭59-203287号公報、特開昭59-188862号公報、及び特開昭62-49284号公報参照）であるから、上記公知に事項を引用発明に適用するとき、この周知の技術事項を併せて適用することは当業者であれば容易に想到し得たことである。
（上記周知例である特開昭59-203287号公報には、第１の表示部(1)に現在時刻又はタイマ予約の開始時刻を、また第２の表示部(2)にテープカウンタ値又は録画予約時間数等のタイマ予約に関する情報をそれぞれ表示することが記載されている。同特開昭59-188862号公報には、カウンタ表示部(10)にテープ等の走行量又はアルファベット文字によりシステムの異常等のシステム状態を表示することが記載されている。また、同特開昭62-49284号公報には、表示器(8)に表示されている予約データが、確認モード又は予約モードのどちらに関するものであるかを、「開始」又は「終了」の文字を点滅又は連続点灯により識別することが記載されている。）
　しかも、本願発明を全体的にみても、上記引用発明及び引用刊行物２に記載された発明、並びに上記周知の技術事項から当業者が当然予測できる範囲を超える格別の作用・効果を見出すことができない。
　
５.むすび
　以上のとおりであって、本願発明は、上記引用発明及び引用刊行物２に記載された発明に基づいて、当業者が容易に発明をすることができたものであるから、特許法第２９条第２項の規定により特許を受けることができない。
　よって、結論のとおり審決する。